(57)【要約】【課題】定量性、再現性を一段と高めたオートサンプラを提供する。【解決手段】ニードル２を洗浄する洗浄槽１の側面に洗浄液の導入口１２を設け、送り込まれた洗浄液の流れがニードル２の側面に当たるようにした。また、洗浄槽１の材質として、化学的に安定で試料成分を吸着することが少ないＰＥＥＫ（ポリエーテル・エーテル・ケトン）樹脂を用いた。これにより、洗浄液を流しながら試料吸引後にニードル２を洗浄する場合、ニードル２の先端から試料の一部が流失することが抑えられ、また、洗浄槽１の内壁への試料成分の吸着とニードル２への再吸着をさらに低減することができる。【選択図】          図１
2005265808.tif 000002
【特許請求の範囲】
【請求項１】
複数の試料容器からニードルを介して液体試料を逐次採取して液体クロマトグラフに導入するオートサンプラであって、前記ニードルを自動的に洗浄する洗浄手段を備え、該洗浄手段は、頂部に前記ニードルを挿入するための開口を有する洗浄槽と該洗浄槽に洗浄液を導入するための送液手段とを備えて成るものにおいて、前記洗浄液を導入するための導入口を前記洗浄槽の側面に設けたことを特徴とするオートサンプラ。
【請求項２】
前記洗浄槽がポリエーテル・エーテル・ケトン樹脂を用いて構成されることを特徴とする請求項１に記載するオートサンプラ。
【発明の詳細な説明】
【技術分野】
【０００１】
本発明は、液体クロマトグラフに試料を導入するオートサンプラに関し、特に、オートサンプラにおいて試料を注入するニードルの洗浄手段に関する。
【背景技術】
【０００２】
液体クロマトグラフ分析においてオートサンプラを用いた試料の導入は、まず、試料を収めた試料容器にニードルを挿入し、所定量の試料を吸引してニードル内およびニードルに連結されたサンプルループ等に保持する。次に、このニードルをインジェクションポートに移動し、保持していた試料を注入する。この過程で、前回注入した試料の残渣がニードルに付着しているとクロスコンタミネーションにより測定が妨害を受けるので、注入操作の前にニードルを洗浄する。洗浄は、特許文献１に従来技術として記載されているように、洗浄液を洗浄槽（洗浄ポートとも呼ばれる）に貯留して、この洗浄液にニードルを浸漬することにより行われる。洗浄槽内の洗浄液は１回の注入操作ごとにポンプにより自動的に入れ換えるように構成されるのが普通である。
【０００３】
従来のオートサンプラにおける洗浄槽の一例を図４に示す。
同図において、１は洗浄槽であって、頂部には洗浄されるニードル２を挿入するための開口１１を有し、底部には洗浄液を導入するための導入口１２が設けられる。また、上部の側面から横下方向に向けて洗浄液をオーバフローさせて排出させる排出口１３が設けられ、これにより槽内の液面はほぼ一定レベルに保たれる。
洗浄槽１の材質としては、耐薬品性を考慮し、また導入口１２や排出口１３を密封溶接で取り付ける便宜上からステンレス鋼が用いられてきた。
【０００４】
この洗浄槽１によるニードル２の洗浄は特許文献１に詳述されているが、大略以下の如くである。
まず、バルブその他の流路部品を介して導入口１２に接続されているポンプ（いずれも図示せず）を作動させて導入口１２から洗浄液を洗浄槽１に送り込む。これにより洗浄槽１内の使用済み洗浄液は排出口１３から排出され、槽内は新しい洗浄液に置換される。
次に、ニードル２を移動させて頂部の開口１１から洗浄槽１内に挿入し、槽内の洗浄液に浸漬させることでニードル２の外側が洗浄される。ニードル２の内側は、別途に内側に洗浄液を流して洗浄されるが、本発明には直接関係しないので、内部の洗浄に関してはここでは省略する。
以後、前述の通り、ニードル２を移動させて、試料容器から試料を吸引し、インジェクションポートに注入する。
【０００５】
通常は上記のように、ニードル２の洗浄は溜め置いた洗浄液に浸漬するだけであるが、洗浄液を送り込むタイミングの設定次第で洗浄液を流しながら洗浄することも可能であり、その方が洗浄効果が高い。
また、上記のように試料を吸引する前にニードル２を洗浄することは欠かせないが、さらに試料を吸引した後で、ニードル２内部に試料を保持した状態で洗浄を行うこともある。これは、ニードル２を次にインジェクションポートに挿入する際に、インジェクションポート周辺を試料で汚染することを極力避けるためである。
【０００６】
【特許文献１】特開平９−１２７０７８号公報
【発明の開示】
【発明が解決しようとする課題】
【０００７】
図４に示すような洗浄槽１を用い、洗浄液を流しながら試料吸引後に洗浄を行う場合、１つの問題がある。それは、洗浄液が底から導入されるため、ニードル２の先端に下向きに開口する針穴に向かって洗浄液が流れることになり、ニードル２内の試料の一部が洗い流される恐れがあることである。
また、別の問題として、洗浄槽１内壁のステンレスに試料成分が吸着している場合、それが洗浄液に再溶解し、溶解した試料成分が次回のニードル洗浄時にニードル２に再吸着することでクロスコンタミネーションを招く可能性もある。
これらはいずれも分析結果の定量性、再現性に悪影響を及ぼす問題である。
本発明は、このような事情に鑑みてなされたものであり、上記問題を解決して、定量性、再現性を一段と高めたオートサンプラを提供することを目的とする。
【課題を解決するための手段】
【０００８】
本発明は、上記課題を解決するために、洗浄槽の側面に洗浄液の導入口を設け、送り込まれた洗浄液の流れがニードルの側面に向かうようにした。また、洗浄槽の材質として、化学的に安定で試料成分を吸着することが少ないＰＥＥＫ（ポリエーテル・エーテル・ケトン）樹脂を用いた。これにより、洗浄液を流しながら試料吸引後にニードルを洗浄する場合、ニードル先端から試料の一部が流失することが抑えられ、また、洗浄槽内壁への試料成分の吸着とニードルへの再吸着をさらに低減することができる。
【発明の効果】
【０００９】
本発明によれば、洗浄槽内への洗浄液の送り込みを側面方向から行うようにしたので、洗浄液を流しながら試料吸引後にニードルを洗浄する場合に、ニードル先端から試料の一部が流失することを抑制でき、また、洗浄槽の材質を化学的に安定なＰＥＥＫ（ポリエーテル・エーテル・ケトン）樹脂としたことにより、洗浄槽内壁への試料成分の吸着とニードルへの再吸着を防ぐことができ、分析結果の定量性と再現性を向上できる。
【発明を実施するための最良の形態】
【００１０】
図１に本発明の一実施形態を示す。同図において、図４と同一の構成要素には同符号を付してあるので再度説明しない。３は洗浄液の供給源となる洗浄液槽、４は洗浄液を送液するポンプ、５は、ポンプ４から洗浄液を洗浄槽１に供給するための洗浄液流路であって、途中に図示しないバルブ等の流路部品が介在する場合もある。
【００１１】
図１に示す実施形態の動作は基本的には図４に示した従来例と同じであって、洗浄液槽３からポンプ４により洗浄液が洗浄液流路５を経由して送液され、導入口１２から洗浄槽１に送り込まれる。従来と異なる点は、導入口１２が洗浄槽１の側面に設けられているため、洗浄液は洗浄を受けるニードル２の側面に当るように流れ、ニードル２の先端の針穴に直接当らないから、ニードル２の内部に保持された試料を洗い出す作用が抑えられる。導入口１２の位置は、挿入されたニードル２の先端よりも少し上の高さが最も効果的であるが、導入口１２の高さに対応してニードル２の挿入位置を設定することもできるから、導入口１２の位置をさほど厳密に定める必要はない。
【００１２】
本実施形態では、洗浄槽１およびこれに付随する導入口１２、排出口１３等の材質としてＰＥＥＫ（ポリエーテル・エーテル・ケトン）樹脂を用いて構成した。この樹脂は切削加工のほか成形加工も可能であり、導入口１２、排出口１３等を含めて一体構造に製作できる。ＰＥＥＫ樹脂の特性として、液体クロマトグラフで取り扱う多くの化学物質に対して安定で吸着性も少ないので、洗浄過程での吸着に起因するクロスコンタミネーションを抑えることができる。
【００１３】
図２及び図３は、本発明になる洗浄槽１の変形例を示した。
図２は、ニードル２を洗浄槽１により深く挿入して洗浄可能範囲を大きくとるために、導入口１２をやや傾けて設けた例である。このように構成したことにより、深く挿入されたニードル２の先端より少し上の部分に洗浄液の流れを当てやすくなる。
また、図３は他の変形例である洗浄槽１の横断面を示したものである。図に示すように、導入口１２と排出口１３を、洗浄槽１の中心線からオフセットさせて設けたものである。このように構成することで、洗浄液の流れはニードル２の針先に直接当たることがなく、しかも、洗浄液がスムーズに槽内を流れるので、液の置換が早くなり、洗浄効果が向上する。
【図面の簡単な説明】
【００１４】
【図１】本発明の一実施形態を示す図である。
【図２】本発明の他の実施形態を示す図である。
【図３】本発明の他の実施形態を示す図である。
【図４】従来のオートサンプラにおける洗浄槽の一例を示す図である。
【符号の説明】
【００１５】
１  洗浄槽
２  ニードル
３  洗浄液槽
４  ポンプ
５  洗浄液流路
１１  開口
１２  導入口
１３  排出口
【図１】
2005265808.tif 000003
【図２】
2005265808.tif 000004
【図３】
2005265808.tif 000005
【図４】
2005265808.tif 000006